(57)【要約】【課題】サッカーのインステップキックを練習するため、スイートスポットを理解し、ボールを蹴る際の恐怖心を抑制し、容易にボールの中心をスイートスポットで蹴ることができる、簡易で汎用性が高く安価な練習用具を提供する。【解決手段】インステップキックのスイートスポットを正確に理解し、初心者でも容易に強いボールを蹴ることを可能とするため、反発力を高めた凸部を足の甲のスイートスポット部分に設けたサッカーシューズの練習用パーツを提供する。また、凸部はボールを蹴る際の照準器としても機能するため「地面からの高さ関係」を調整する感覚を養うことができる。更に凸部とボールの中心をミートすることに意識を集中させることで、誤って地面を蹴ってしまう恐怖心を抑制する効果がある。また、基板部に取付用孔と差込部を設けたことで、簡易に付け外しができ、メーカーやサイズ、右足・左足にかかわらず使用できる汎用性を実現し、シンプルな構造とすることで安価な製品化を可能とした。【選択図】図９
2020189065.tif 000002
【特許請求の範囲】
【請求項１】
サッカーのインステップキックを練習するため、既存のサッカーシューズに簡易に取り付けることができる基板部とサッカーボールを正確に強くキックするための凸部をその基板部表面側に有し、かつ、その基板部の裏面側がサッカーシューズの甲の部分に固着することを特徴とするサッカーシューズの練習用パーツ。
【請求項２】
請求項１に記載の基板部は、サッカーシューズの甲の部分に固着するため、その基板部上辺に既存シューズの靴紐を通してシューズに固着するための取付用の孔を設け、また下端にはシューズ先端部の靴紐に差し込むための差込部を設けた請求項１に記載のサッカーシューズの練習用パーツ。
【請求項３】
請求項１に記載の基板部は、サッカーシューズの甲の部分に固着するため、マジックテープやベルト等を用いることもできる請求項１に記載のサッカーシューズの練習用パーツ。
【請求項４】
請求項１に記載の基板部は、ボールを蹴った際の足への衝撃を緩和するため、ゴムや人工皮革等の軟質系の素材で形成された請求項１に記載のサッカーシューズの練習用パーツ。
【請求項５】
請求項１に記載の凸部は、サッカーボールを強くキックするため、金属や樹脂、セラミックス等の硬質系の素材で円筒や円柱、円錐台、半楕円、多角錐台等に形成され、反発力を高めた請求項１に記載のサッカーシューズの練習用パーツ。
【請求項６】
請求項１に記載の凸部は、軸端下部を基板部へ固定するが基板部からの抜け止めを防止するためリング状の鍔を有する請求項１に記載のサッカーシューズの練習用パーツ。
【請求項７】
請求項１に記載の凸部は、サッカーボールの中心に狙いを定めることをサポートするため、凸部の上端部が０．５ｃｍ〜１．５ｃｍ突起する形態となっている請求項１に記載のサッカーシューズの練習用パーツ。
【発明の詳細な説明】
【技術分野】
【０００１】  本発明は、サッカーのインステップキックを練習するため、反発力を高めた凸部を足の甲のスイートスポット部分に設けたサッカーシューズの練習用パーツに関するものである。
【背景技術】
【０００２】  サッカーのキックは、インサイドキック（足の内側で蹴る）、インステップキック（足の甲で蹴る）インフロントキック（足の親指付近で蹴る）アウトサイドキック（足の小指付近で蹴る）の４種類に大別される。この内、インステップキック（足の甲で蹴る）は、一番強いボールを蹴れるが、難易度が高いキックである。インステップキックが難しい理由は、ボールをキックする際、蹴り足と軸足の「地面からの高さ」関係を調整する必要があるからで、他のキックは、蹴り足と軸足がほぼ同じ「地面からの高さ」で蹴ることができるので容易なのである。【０００３】  選手は、インステップキックを習得するために適した練習用具がないため、時間をかけてキック練習を繰り返す。そして、時に目測を誤り地面をキックし（ダフリ）、痛い思いをしながら「地面からの高さ関係」を調整する感覚を掴み、スイートスポットを体得しているが、一部の選手は、キックミスが続くことから練習途中で挫折してインステップキックを習得できないという問題がある。【０００４】  インステップキックをミスする主な原因は、知識面ではスイートスポットの理解不足、心理面ではボールを蹴る際の恐怖心（誤って地面をキックしてしまう恐怖）、技術面ではスイートスポットで蹴っていない、等が挙げられる。
【先行技術文献】
【０００５】
【特許文献１】特開平７−２８９３０２号公報
【０００６】
【特許文献２】特開２００８−７３４８１号公報
【発明の概要】
【発明が解決しようとする課題】
【０００７】  特許文献１（特開平７−２８９３０２号公報）には、サッカー練習用シューズによりキックの習得を容易にする技術が開示されている。この発明品では、靴の外側表面を、キックの種類に応じて色別にペイント等することで、キック練習が効果的に行えると考えられたものである。
しかし、特許文献１記載のシューズは、例えばインステップキックを理解するため足の甲の部分を緑色にペイントし、蹴るべき「面」を示しているが、スイートスポットを「点」ではなく「面」として捉えており、正しい理解につながっていない。また、「地面からの高さ関係」をサポートする機能が無いため、スイートスポットの習得や恐怖心の抑制にもつながらないことから本件の課題を解決できない。
しかも特許文献１記載のシューズは、パーツではなくシューズ本体であるので、製品として高価となり、汎用性が低いという問題もある。【０００８】  特許文献２（特開平２００８−７３４８１号公報）には、シューズのベロの部分にプロテクターを入れることによりサッカーのシュート力をアップする技術が開示されている。この発明品は、足の甲の保護を十分にすることで強力なシュートを蹴れると考えられたものである。
しかし、特許文献２記載のシューズのパーツでは、ボールを蹴った際に足の甲を保護し、痛みを軽減するだけで、「地面からの高さ関係」をサポートする機能が無いため、スイートスポットの習得や恐怖心の抑制にもつながらないことから本件の課題を解決できない。【０００９】  本発明は、上記問題に対処すべくなされたもので、その解決しようとする課題は、初心者でも容易にインステップキックを疑似体験しつつ、スイートスポットを理解し、ボールを蹴る際の恐怖心を抑制し、容易にボールの中心をスイートスポットで蹴ることができる、簡易で汎用性が高く、安価な練習用パーツを提供することにある。
【課題を解決するための手段】
【００１０】  本発明者は、上記の課題を解決するため、選手の知識・心理・技術面から研究を重ね、特にボールを蹴った際の「スイートスポットで蹴った快感」と「地面を蹴ってしまう恐怖心」等に注目し、本発明に到達した。【００１１】  本発明は、サッカーのインステップキックを練習するため、サッカーシューズの甲の部分に簡易に固着できる基板部とサッカーボールを正確に強くキックするため反発力を高めた凸部をその基板部表面側に有するサッカーシューズの練習用パーツを提供する。
【発明の効果】
【００１２】  本発明においては、反発力を高めた凸部を足の甲のスイートスポット部分に設けた練習用パーツをシューズに固着することで、従来技術では解決できなかった、スイートスポットを正確に理解し、初心者でも容易に強いボールを蹴ることが可能となる。【００１３】  また、凸部はサッカーボールを蹴る際、ボールの中心に狙いを定める照準器としても機能するため、ボールの中心を蹴ることをサポートし、「地面からの高さ関係」を調整する感覚を養うことができる。更に本発明品の使用者は、シューズに固着した凸部がボールの中心をミートすることに集中するため、従来技術では解決できなかった、「地面を蹴ってしまう恐怖心」を抑制する効果がある。【００１４】  また、本発明品は、既存サッカーシューズに簡易に付け外しができ、メーカーやサイズ、右足・左足にかかわらず使用できる汎用性があり、かつシンプルな構造であるため、安価に製造することが可能である。
【図面の簡単な説明】
【００１５】
【図１】本発明品の正面図である。
【図２】本発明品の底面図である。
【図３】図１におけるＡ−Ａ線断面の拡大図である。
【図４】本発明品の凸部２の拡大説明図である。
【図５】本発明品の凸部２の形状のバリエーションを示す。（円錐台）
【図６】本発明品の凸部２の形状のバリエーションを示す。（半楕円）
【図７】本発明品の凸部２の形状のバリエーションを示す。（六角錐台）
【図８】本発明品のシューズへの装着途中の説明図である。
【図９】本発明品のシューズへの装着説明図である
【図１０】本発明品の使用状態図である。
【発明を実施するための形態】
【００１６】  図１に、本発明の一実施形態に係る正面図を示す。図示のように、サッカーシューズの練習用パーツ。は、例えば縦７ｃｍ〜１０ｃｍ、横６ｃｍ〜８ｃｍの基板部１と、凸部２で構成され、基板部の上部周辺には取付用孔３と取付用予備孔４（小さいサイズ用）を、また下端には差込部５を設けている。
【００１７】  図２に、本発明の一実施形態に係る底面図を示す。図示のように基板部１は、下層部６と上層部７の二重構造で接着剤８にて接着され、凸部２の軸端が上層部７を貫通し０．５ｃｍ〜１．５ｃｍ突起する形態となっている。
【００１８】  図３に、本発明の一実施形態に係る凸部２の周辺を拡大したＡ−Ａ線断面図を示す。基板部１の下層部６は、ゴム系や人工皮革等の軟質系素材で形成されており、ボールを蹴った際の衝撃を緩和し、足を保護する。また、凸部２の軸底部の鍔９と下層部６が接着剤８によって固定され、かつ上層部７と軸底部の鍔９の部分を挟み込むことで、凸部２の抜け落ち防止に寄与しており、これらは本発明品の練習用具としての安全性を担保している。
【００１９】  図５、図６、図７において、凸部２の上端部の形状のバリエーションを示すが、好ましい上端部の形状は、ボールへ与えるダメージ等を考慮し、図６の半楕円形のものである。
【００１９】  図１において図示する基板部１には、上部周辺に取付用孔３、取付用予備孔４が設けてあり、図８、図９において示すように既存シューズの靴紐１０を孔３に通し、更に基板部先端の差込部５をシューズ先端部の靴紐の下に差し込むことで、簡易にシューズに付け外しできる。また、既存のサッカーシューズに対しメーカーやサイズ、左右どちらの足にも固着できる汎用性を実現している。
【００２０】  図９は本発明品の使用状態図を示す。図９において、基板部１はサッカーシューズの甲の部分に取付用孔３と既存サッカーシューズの靴紐１０と差込部５で固着された状況を示す。
【００２１】  図１０は本発明品の使用例を示す。使用者は、あらかじめボールの中心部である蹴るべきポイントをマーキング１１しておくことが望ましい。使用者は、凸部２と前記のマーキングポイント１１がミートすることに意識を集中することで、キックの正確性が増し、誤って地面を蹴ってしまう恐怖心も抑制できる。
【符号の説明】
【００２２】１  基板部
２  凸部
３  取付用孔
４  取付用予備孔（小さいサイズ用）
５  差込部
６  基板部下層
７  基板部上層
８  接着剤
９  凸部の鍔
１０  靴紐
１１  マーキングポイント（ボールの中心）
【図１】
2020189065.tif 000003
【図２】
2020189065.tif 000004
【図３】
2020189065.tif 000005
【図４】
2020189065.tif 000006
【図５】
2020189065.tif 000007
【図６】
2020189065.tif 000008
【図７】
2020189065.tif 000009
【図８】
2020189065.tif 000010
【図９】
2020189065.tif 000011
【図１０】
2020189065.tif 000012